(57)【要約】      （修正有）【課題】遮蔽カーテンで種々の重さや搬送速度の被検査物に対応することのできる新たな遮蔽カーテンと、その遮蔽カーテンを搭載したＸ線検査装置とを提供する。【解決手段】Ｘ線遮蔽部材６２からなる遮蔽カーテン６により検査室の出入り口を遮蔽するものであって、被検査物Ａの搬送方向Ｆに対して横断する方向に水平に設けられた支持軸６１と、その支持軸に沿って揺動可能に吊下げられた複数枚の遮蔽部材６２とからなり、その各遮蔽部材に、前記支持軸からの距離が調整可能なバランスウエイト６３を取り付けてなる。【選択図】図３
0003175839.tif 000002
【実用新案登録請求の範囲】
【請求項１】
Ｘ線遮蔽部材により検査室の出入り口を遮蔽する遮蔽カーテンであって、被検査物の搬
送方向に対して横断する方向に水平に設けられた支持軸と、その支持軸に沿って揺動可能
に吊下げられた複数枚の遮蔽部材とからなり、その各遮蔽部材に、前記支持軸からの距離
が調整可能なバランスウエイトが取り付けられていることを特徴とする遮蔽カーテン。
【請求項２】
被検査物を検査室内に搬入・搬出する搬送手段と、前記搬送手段で搬送される被検査物
にＸ線を照射する照射手段と、被検査物を透過したＸ線を検出するラインセンサと、ライ
ンセンサで検出された透過Ｘ線画像に基づいて被検査物を検査するＸ線検査装置であって
、前記検査室の出入り口に、請求項１に記載の遮蔽カーテンを設けたことを特徴とするＸ
線検査装置。
【考案の詳細な説明】
【技術分野】
【０００１】
本考案は、被検査物にＸ線を照射して被検査物の品質を検査するＸ線検査装置に関し、
特に被検査物が搬入・搬出される検査室の出入り口におけるＸ線漏洩防止構造に関する。
【背景技術】
【０００２】
この種のＸ線検査装置では、検査室の出入り口からのＸ線の漏洩を防止するために、検
査室の出入り口に下記特許文献１に開示されるような暖簾式遮蔽カーテンが設けられる。
この暖簾式遮蔽カーテンには、下記特許文献２、３に開示されるように、遮蔽カーテンが
開くときの抵抗力を少なくする目的で遮蔽カーテンにバランスウエイト部が設けられる。
例えば、極めて軽い味付け海苔等のパック商品を検査するときに、そのパック商品が遮蔽
カーテンの重みに負けて遮蔽カーテンの手前で停滞すると困るので、そうした場合は、僅
かな力でも遮蔽カーテンが簡単に跳ね上がるように、そのバランスウエイト部を設計する
。また、重たい商品や搬送速度の速い商品を検査する場合には、遮蔽カーテンが勢いよく
跳ね上がると、Ｘ線が漏洩する危険性があるので、そうした場合は、逆に遮蔽カーテンが
簡単に跳ね上がらないように、バランスウエイト部を設計する。
【先行技術文献】
【特許文献】
【０００３】
【特許文献１】特開平１１−１６０４８７号公報
【特許文献２】特開２０１０−２３７１０９号公報の段落００５１参照
【特許文献３】特開２０１１−１９１１６５号公報の段落００７３参照
【考案の概要】
【考案が解決しようとする課題】
【０００４】
このように、従来のＸ線検査装置では、被検査物の重量や搬送速度に応じてバランスウ
エイト部の調整された遮蔽カーテンが個別に装備されていたので、１台のＸ線検査装置で
種々の重さや搬送速度の異なる商品を検査しようとすると、それに応じた遮蔽カーテンを
付け替えなければならない煩わしさがあった。また、商品の種類に応じた遮蔽カーテンを
複数用意しておくことは、コストアップになるとともに、保管管理上も煩わしいものとな
る。
【０００５】
本考案は、こうした問題を解決するために、一種類の遮蔽カーテンで種々の重さや搬送
速度の被検査物に対応することのできる新たな遮蔽カーテンと、その遮蔽カーテンを搭載
したＸ線検査装置とを提供することを課題とする。
【課題を解決するための手段】
【０００６】
上記課題を解決するために、本考案の遮蔽カーテンは、Ｘ線遮蔽部材により検査室の出
入り口を遮蔽するものであって、被検査物の搬送方向に対して横断する方向に水平に設け
られた支持軸と、その支持軸に沿って揺動可能に吊下げられた複数枚の遮蔽部材とからな
り、その各遮蔽部材に、前記支持軸からの距離が調整可能なバランスウエイトが取り付け
られていることを特徴とする。したがって、バランスウエイトを支持軸から大きく離して
バランスウエイトによる開閉モーメントを大きくすれば、軽い物や速度の遅いものでも遮
蔽部材を簡単に跳ね上げることができる。また、支持軸からの距離を小さくして開閉モー
メントを小さくすれば、遮蔽部材を跳ね上げるときの抵抗力が増して、重い物や速度を上
げたときの遮蔽カーテンとして使用することができる。このように、バランスウエイトと
支持軸との距離を調整することにより、種々の重さや速度の被検査物に対応する。
【０００７】
また、本考案のＸ線検査装置は、被検査物を検査室内に搬入・搬出する搬送手段と、前
記搬送手段で搬送される被検査物にＸ線を照射する照射手段と、被検査物を透過したＸ線
を検出するラインセンサと、ラインセンサで検出された透過Ｘ線画像に基づいて被検査物
を検査するＸ線検査装置であって、前記検査室の出入り口に、前記遮蔽カーテンを設けた
ことを特徴とする。
【考案の効果】
【０００８】
本考案に係る遮蔽カーテンによれば、バランスウエイトの支持軸からの距離を調整する
だけで種々の重さや速度の被検査物に適合する遮蔽カーテンとすることができる。したが
って、これまでのように、被検査物の重さや速度に応じた複数の遮蔽カーテンを装備して
おく必要がなくなり、それだけ安価な遮蔽カーテンを提供することができる。
【０００９】
また、本考案に係るＸ線検査装置によれば、一種類の遮蔽カーテンを装備しておくだけ
で、重さや速度の違う被検査物に対応することができるから、Ｘ線検査装装置としての汎
用性を高めることができる。
【図面の簡単な説明】
【００１０】
【図１】本考案の一実施形態に係るＸ線検査装置の外観斜視図
【図２】本考案の一実施形態に係る主要部の配置構成を示す斜視図
【図３】本考案の一実施形態に係る遮蔽カーテンの側面図
【図４】本考案の一実施形態に係る遮蔽カーテンの一部正面図
【図５】本考案の一実施形態に係る遮蔽カーテンの側面図
【考案を実施するための形態】
【００１１】
以下、本考案の一実施形態を図面に基づいて説明する。
【００１２】
図１は、本考案の一実施形態に係るＸ線検査装置の外観斜視図を示す。この図１におい
て、Ｘ線検査装置１は、入口２と出口３を有する検査室４と、入口２から出口３に亘って
掛け渡された搬送手段５と、入口２と出口３に設けられたＸ線漏洩防止用の遮蔽カーテン
６と、前記搬送手段５の上方に設置されて、検査室４内にＸ線を照射するＸ線照射手段７
と、前記搬送手段５の上下のベルト間に設けられて、被検査物Ａを透過したＸ線を検出す
るラインセンサ８と、これらを収納する筐体９と、その筐体９の前面に設けられたタッチ
パネル１０と、前記筐体９を支持する４本の支持脚１１とを備えている。また、前記筐体
９下部の手前側側面は、開閉自在な扉１２とされ、その扉１２を開けば、検査室４内の前
面が開放されて、遮蔽カーテン６が取り外せるようになっている。そして、当然のことな
がら、前記筐体９は、扉１２を閉めた状態では、検査室４の入口２と出口３を除いて、外
部にＸ線が漏洩しない構造となっている。そして、遮蔽カーテン６を除く各部の構成は、
周知であるから、ここではそれらの詳細な説明は省略する。
【００１３】
図２は、検査室４を含む主要部の配置構成を示したもので、前記搬送手段５は、入口２
側のプーリ５１と、出口３側のプーリ５２と、ラインセンサ８の下方に配置された前後の
プーリ５３、５４と、それらのプーリ５１〜５４間に掛け渡されたエンドレス状のベルト
５５と、出口３側のプーリ５２を回転駆動させる図示しないモータとで構成されている。
また、被検査物Ａの搬送方向Ｆに対し、それと直交する方向に設けられた遮蔽カーテン６
は、入口２側と出口３側にそれぞれ二条設けられている。ただし、遮蔽カーテン６の設置
数は、必要に応じて増減される。
【００１４】
図３は、前記遮蔽カーテン６の側面図を示し、図４は、その一部正面図を示す。これら
の図において、遮蔽カーテン６は、被検査物Ａの搬送方向Ｆに対し、それと直交する方向
に水平に設けられた支持軸６１と、その支持軸６１に沿って揺動可能に吊下げられた複数
枚の遮蔽部材６２と、その遮蔽部材６２の前記支持軸６１とは反対側の上端部６２ａに設
けられたバランスウエイト６３とを備えている。
【００１５】
前記遮蔽部材６２は、短冊状のステンレス板で成形され、その中程が図示の搬送方向Ｆ
へ「く」の字型に折り曲げられている。また、その下端部６２ｂは、さらに水平に折り曲
げられ、搬送手段５のベルト５５面に対して平行に延びている。下端部６２ｂが、ベルト
５５面に接触しないように、矢印方向Ｇとは逆の方向に回転しないための図示しない回り
止めが設けられている。遮蔽部材６２をこのように「く」の字に折り曲げるのは、被検査
物Ａが遮蔽部材６２に当るときの衝撃を緩和するためで、これにより、軽い被検査物Ａで
あっても、遮蔽部材６２に押し戻されずに遮蔽部材６２を持ち上げながら潜り抜けること
ができる。さらに、その下端部６２ｂが、ベルト５５面に対して平行に延びていることで
、Ｘ線の漏洩防止が図られる。
【００１６】
また、遮蔽部材６２の上部両側面には、ステンレス板を折り曲げて成形されたブラケッ
ト６４が設けられ、そのブラケット６４に支持軸６１を挿通する孔６５が穿設され、その
孔６５に支持軸６１が挿通されて、遮蔽部材６２が支持軸６１回りに揺動するようになっ
ている。また、前記上端部６２ａは、支持軸６１とは反対側に少し傾斜するように折り曲
げられ、その上端部６２ａにボルト６６が斜め下方に向けて固定されている。そして、バ
ランスウエイト６３には、ネジ穴が設けられており、バランスウエイト６３は、そのボル
ト６６のネジ部６７に回転自在に捻じ込まれている。なお、前記ボルト６６には、バラン
スウエイト６３の脱落を防止する図示しない抜け止めが取り付けられる。また、バランス
ウエイト６３のネジ穴には、バランスウエイト６３が回転して、移動することを防止のた
め、例えば、ナイロンインサート付き六角ナットやＵ−ナット（株式会社富士精密製作所
のゆるみ止めナットの商品名）のような、ねじ込み又はねじ戻すときに必要なトルクが発
生するような仕掛けが施されている。
【００１７】
そして、このバランスウエイト６３を回してボルト６６の頭に近づければ、支持軸６１
とバランスウエイト６３との距離が短くなるから、バランスウエイト６３による遮蔽部材
６２を支持軸６１回りに矢印方向Ｇに回動させるモーメントが小さくなる。これにより、
遮蔽部材６２は、跳ね上がり難くなる。また、バランスウエイト６３を逆に回してボルト
６６の先端付近に近づければ、支持軸６１とバランスウエイト６３との距離が長くなるか
ら、バランスウエイト６３による遮蔽部材６２を支持軸６１回りに矢印方向Ｇに回動させ
るモーメントが大きくなる。これにより、遮蔽部材６２は、跳ね上がり易くなる。
【００１８】
したがって、この実施形態の遮蔽カーテン６では、軽い被検査物Ａの場合には、バラン
スウエイト６３をボルト６６の先端付近へ移動させ、逆に重い場合には、バランスウエイ
ト６３をボルト６６の頭付近へ移動させる。そうすれば、軽い被検査物Ａの場合には、そ
れを遮蔽カーテン６の手前で停滞させることなく通すことができるし、また重たい被検査
物Ａや速度の速い被検査物Ａの場合には、遮蔽カーテン６を過度に跳ね上げさせなで、被
検査物Ａを通すことができる。
【００１９】
なお、支持軸６１の両端部は、検査室４内の所定の箇所に着脱自在に取り付けられるの
で、バランスウエイト６３を調整するときは、支持軸６１ごと遮蔽カーテン６を取り外し
て調整する。その際、全てのバランスウエイト６３を調整する必要はなく、少なくとも、
被検査物Ａが通過する箇所の遮蔽部材６２のバランスウエイト６３を調整する。即ち、被
検査物Ａの横幅（搬送方向Ｆを横断する方向の長さより若干広めの幅）に対応する箇所の
遮蔽部材６２のバランスウエイト６３を調整する。その場合には、被検査物Ａが、調整さ
れたバランスウエイト６３の遮蔽部材６２に当るように、遮蔽カーテン６の手前側に被検
査物Ａを規制するガイド板を設けておくと良い。
【００２０】
以上の実施形態では、バランスウエイト６３をボルト６６に回転自在に捻じ込んで、バ
ランスウエイト６３と支持軸６１との距離が調整自在となるようにしたが、これに限定さ
れるものではない。例えば、図４に示すように、ボルト６６が取り付けられた上端部６２
ａに上下方向に長い長穴６８を設け、その長穴６８に取り付けるボルト６６の取り付け位
置を調整することにより、バランスウエイト６３と支持軸６１との距離を調整するように
しても良い。また、図５（ａ）に示すように、ボルト６６に取り付けるバランスウエイト
６３の個数を変更するか、もしくは図５（ｂ）に示すように、ボルト６６に取り付けるバ
ランスウエイト６３を重量の異なるバランスウエイト６３Ｈに変更することによっても、
バランスウエイトによる開閉モーメントを変更することができる。
【符号の説明】
【００２１】
１    Ｘ線検査装置
２    入口
３    出口
４    検査室
５    搬送手段
６    遮蔽カーテン
７    Ｘ線照射手段
８    ラインセンサ
９    筐体
１２    扉
６１    支持軸
６２    遮蔽部材
６３    バランスウエイト
Ａ    被検査物
Ｆ    搬送方向    
【図１】
0003175839.tif 000003
【図２】
0003175839.tif 000004
【図３】
0003175839.tif 000005
【図４】
0003175839.tif 000006
【図５】
0003175839.tif 000007